(57)【要約】
【課題】カメラ内部スペースの有効利用及びレンズやファインダの効果的な保護。
【解決手段】本体１１とファインダ装置１２とスプリング１３と前蓋１４と外殻１５とより構成し、該ファインダ装置とスプリングを該前蓋と本体の間に設置し、該前蓋と本体を嵌合して該外殻１５に装入し、該本体１１と前１４蓋を該外殻１５より引出すと、該ファインダ装置１２が該スプリング１３の弾力によって該外殻１５のファインダ用孔１５２より飛び出し、同時に該前蓋１４の内レンズ用孔１４２と該外殻１５の外レンズ用孔１５１とが同一直線上に並ぶことで、使用者が撮影できる状態となり、該本体１１と該前蓋１４を該外殻１５内に押し込むと、該ファインダ装置１２は該本体１１内にて回転して収容され、該ファインダ装置１２の上部平面と該外殻１５のファインダ用孔１５２とが平面を形成すると同時に該外殻１５の外レンズ用孔１５１が該前蓋１４によって被覆されるようにする。
【選択図】        図１
0003101272.tif 000002
【実用新案登録請求の範囲】
【請求項１】
本体とファインダ装置とスプリングと前蓋と外殻とより構成されるカメラの構造において、
上表面と内表面の間の個所に略長方形を呈した開口部を具有し、略半円形を呈した溝と位置決め孔が該内表面に設けられ、且つ該半円形を呈した溝は該開口部の一部上に設けられている該本体と、
ファインダと、一体成型により外殻上部のファインダ用孔に対応する平面が設けられたファインダ基部と、該半円形の溝内に設置されて該開口部内にて回転するべく、該半円形溝に対応して設けられたリング部と、
を具有し、ファインダが外に跳ねだしたとき該本体の開口部縁に当接するストッパー部を設けてなる該ファインダ装置と、
該半円形の溝に設置されるべく、数回巻かれた状態に一体成型されており、該ファインダ装置が弾力によって回転するべく、第一端が該本体の開口部底部を押圧しており、第二端が該ファインダ装置を押圧している該スプリングと、
内レンズ用孔、並びに該本体の位置決め孔と相対して設けられた固定部を具有し、該本体の位置決め孔に嵌合される該前蓋と、
外レンズ用孔が正面に設けられ、該本体の開口部に対応し且つ該開口部よりやや小さいファインダ用孔が上表面に設けられており、該本体と前蓋を滑動させて出し入れするべく側面が開口を形成している該外殻と、
を具有し、該ファインダ装置と該スプリングを該本体の半円形の溝に設置し、該前蓋を該本体に嵌合させ、該本体と該前蓋を該外殻内に設置してなり、
使用の際に該本体と前蓋を引き出すと、該ファインダ装置が該スプリングの弾力によって該外殻のファインダ用孔より跳び出すと同時に、該内レンズ用孔と該外レンズ用孔とが同一の直線上に並んで使用者が撮影できる状態となり、逆に、収納時には該本体と該前蓋を該外殻内に押し入れることにより、該ファインダ装置が該リング部により、該本体の開口部内にて回転して収容され、該ファインダ基部の上部平面が該外殻のファインダ用孔と平らな面を形成し、同時に該外殻の外レンズ用孔が該前蓋によって被覆されることを特徴とするカメラの構造。
【請求項２】
該本体には、使用者がシャッターを切る際に該ボタンが押されるべく、ボタンを収容するボタン収容凹部が設けられていることを特徴とする請求項１記載のカメラの構造。
【請求項３】
該本体の外表面には略長方形を呈した軌道突出部が設けられており、且つ該外殻の背面には該軌道突出部と相対した開口部が設けられていることにより、該本体を該外殻に押し入れると該開口に該軌道突出部が嵌合して該本体の外表面は該カメラ背面から露出し、該本体と該前蓋とを該外殻に押し入れ、引き出す操作の際、該軌道突出部の縁に沿って滑動することを特徴とする請求項１記載のカメラの構造。
【請求項４】
該本体の該軌道突出部上には、更にモニタと調整ボタンが設けられていることより、使用者が使用の際に機能の選択を行い、且つ該選択された機能が該モニタに表示されることを特徴とする請求項３記載のカメラの構造。
【請求項５】
該本体の軌道突出部上には、更に数個の円形を呈した突起が設けられていることにより、出し入れの際の滑り止めが形成されていることを特徴とする請求項３記載のカメラの構造。
【請求項６】
該スプリングの第二端は、該ファインダ装置のファインダ基部と該空洞を呈したリング部とが連接する個所にて押圧されていることにより、該ファインダ装置が弾力で回転することを特徴とする請求項１記載のカメラの構造。
【考案の詳細な説明】
【技術分野】
【０００１】
本考案はカメラの構造に係り、特にカメラの構造における空間利用に工夫を凝らし、製造時の組み立てが簡単でコストが抑えられ、全体をコンパクト化したカメラの構造にかかわる。
【背景技術】
【０００２】
現在普及しているカメラは外観においても内部の電子部品においても非常に技術が発達しており、軽量化や小型化が進んでいる。
【考案の開示】
【考案が解決しようとする課題】
【０００３】
しかし上述のような小型化の進んだ公知のカメラにおけるファインダは、多くがカメラ本体上に固定されているものであり、ファインダに設けられたガラスが指の接触や天候により汚れ易いといった欠点があり、ファインダが汚れると、撮影時に被写体がはっきりと見えなくなってしまう。またレンズについても、カメラの中でも重要なパーツのひとつであり、通常はスライド式の蓋などによって被覆されて保護されているが、カメラの体積が小さいことから蓋がひっかかってスムーズに開閉できないなどの不具合が起こりやすい、あるいはレンズと蓋との距離が近すぎて、開閉時にレンズを汚しやすいといった欠点もある。
そこで小型化の進むカメラ内部のスペースを有効利用し、レンズやファインダを効果的に保護するべく、本考案のカメラの構造を提供する。
【課題を解決するための手段】
【０００４】
カメラ本体の上表面と内表面位置に略長方形を呈した開口部を設け、該内表面には略半円形を呈した溝と位置決め孔を設け、且つ該半円形を呈した溝は該開口部の一部上に設けられ、ファインダ装置においては一体成型のファインダ基部と空洞のリング部とより構成し、該ファインダ基部の外殻には平面を設け、且つ該リング部は該本体の半円形を呈した溝に対応しており、該リング具は該半円形を呈した溝内に収容されてこれを軸として該開口部内にて回転し、且つ該ファインダ装置を開いた際にストップをかける個所として該開口部縁が提供されており、更に該ファインダ基部のファインダには該半円形を呈した溝に対応するべく環状に数回巻かれて一体成型されたスプリングを設け、該スプリングには第一端と第二端とが設けられているが、該スプリングは該半円形の溝内に設置すると、該第一端が該本体の開口部の底部によって押圧され、また該第二端部は該ファインダ装置によって押圧され、該ファインダ装置が弾力によって回転するようになっており、また前蓋においては内レンズ用孔、並びに該本体の位置決め孔と相対する固定部を具有し、且つ該本体の位置決め孔に嵌合されており、外殻においてはその正面に外レンズ用孔を、また該外殻上表面には該本体の開口部に対応し且つ該開口部よりやや小さいファインダ用孔を設け、且つ該外殻の側面は中空となっていることで該本体と該前蓋が該中空を呈した側面から出し入れできるようにしており、該ファインダ装置と該スプリングを該本体の半円形を呈した溝に設置し、該前蓋を該本体に嵌合した後、該本体と該前蓋を該外殻内に設置し、該本体と前蓋とを引っ張ることで、該ファインダ装置が該スプリングの弾力によって該外殻のファインダ用孔より跳び出すと同時に該内レンズ用孔と該外レンズ用孔が同一の直線上に並ぶため、使用者が撮影を行える状態となり、該本体と該前蓋を該外殻内に収容する際には、該ファインダ装置を該リング部により該半円形を呈した溝を軸として該本体の開口部内にて回転させると、該ファインダ基部の上部平面と該外殻のファインダ用孔とが水平面を形成し、該外殻の外レンズ用孔が該前蓋によって被覆されるようにする。
【考案の効果】
【０００５】
本考案によると、小さなカメラ内部のスペースを有効に利用し、且つ簡単な構造により、組み立てが簡単でコストが抑えられたと同時に、レンズやファインダを効果的に保護する構造を提供する目的が達成された。
【考案を実施するための最良の形態】
【０００６】
図１に示すように、本考案のカメラ１の構造は、主に本体１１とファインダ装置１２とスプリング１３と前蓋１４と外殻１５とを含み、これらが組み立てられると図２に示すような状態となる。
【０００７】
該本体１１においては、略長方形を呈した開口部１１１が該本体１１の上側の面１１Cと内表面１１Aの間に設けられており、略半円形を呈した溝１１２と数個の位置決め孔１１３が該内表面１１Aに設けられており、該略半円形を呈した溝１１２と該開口部１１１とは一部重なる（図１参照）。
【０００８】
ファインダ装置１２においては、図１に示すように、一体成型されたファインダ基部１２１と空洞のリング部１２２とが含まれ、該ファインダ基部１２１の外殻には平面１２１Aが形成されている。外リング部１２２は、本体側の該略半円形を呈した溝１１２内に対応しており、該空洞を呈したリング部１２２は該本体１１の半円形を呈した溝１１２内に設置されてこれを回転軸とし、該ファインダ装置１２は該開口部１１１内にて回転するものとし、該本体１１の該開口部１１１の縁１１１Aは該ファインダ装置１２が開いた際にストップさせる個所を提供しているものとする。該ファインダ基部１２１には更にファインダ１２１０を設けて使用者が該ファインダ１２１０を通して被写体を覗くことができるようになっている。
【０００９】
該スプリング１３においては、数回巻いた一体成型によるものであり、該半円形を呈した溝１１２に対応しており、第一端部１３１と第二端部１３２とを具有する。該スプリング１３は該半円形の溝１１２内に設置され、該第一端部１３１は該本体１１の開口部１１１の底部１１１Bによって押圧されている。該第二端部１３２は、該ファインダ装置１２によって押圧されているが、これは該ファインダ装置１２が弾力によって回転するべく、該ファインダ装置１２のファインダ基部１２１と該リング部１２２とが接する個所で押圧するのが最も望ましい。
【００１０】
該前蓋１４においては、該本体１１の位置決め孔１１３と相対して数個の固定部１４１が設けられていることにより該本体の位置決め孔１１３と嵌合させ、こうすることで該本体１１と前蓋１４とが緊密に位置決めされ、且つ引っ張ることで外せるようにする。更に外殻１５においては、外レンズ用孔１５１が正面１５Aに設けられており、該前蓋１４には内レンズ用孔１４２が設けられており、組み立て後に該前蓋１４を該本体１１に対して開けていない状態であるとき、該外レンズ用孔１５１と該内レンズ用孔１４２とは異なる直線上に位置し、該前蓋１４が該外レンズ用孔１５１を被覆した状態となる。逆に該本体１１から該前蓋１４を開けると、該外レンズ用孔１５１は該内レンズ用孔１４２と同じ直線上に位置して写真が撮れる状態となる。
【００１１】
更に該外殻１５にはファインダ用孔１５２が上表面１５Bに設けられており、且つ該ファインダ用孔１５２が設けられた位置は該本体１１の開口部１１１と相対していると同時に、該開口部１１１よりやや小さい寸法となっている。よって該本体１１と前蓋１４を該外殻１５内に押し入れた際、該ファインダ装置１２は該外殻１５内に収容されるようになっている。また該外殻１５の側面１５Cは開口を呈しており、該本体１１と該前蓋１４が該開口を呈した側面１５Cより該外殻１５に対して出し入れを行い易くなっている。こうして図３に示すように、組み立て後は該本体１１と該前蓋１４とが該外殻１５から引き出された状態では、該ファインダ装置１２は該ファインダ用窓１５２から跳ね出すしくみとなっている。
【００１２】
本考案の実施例において、該ファインダ装置１２と該スプリング１３とは該本体１１の半円形溝１１２の適当な位置に収容され、また該前蓋１４が該本体１１に嵌合された後、該本体１１と前蓋１４とは該外殻１５内に収容される（図２参照）。該本体１１と該前蓋１４とを引っ張り出すと、該本体１１と該前蓋１４とが同時に動き、該ファインダ装置１２が該スプリング１３の弾力によって該外殻１５のファインダ用孔１５２の外に跳ね出し、同時に該前蓋１４のうちレンズ用孔１４１と該外殻１５の外レンズ用孔１５１とが同一直線上に整列し、使用者がファインダよりレンズを覗いて撮影できる状態となる（図３参照）。また該本体１１と該前蓋１４とを該外殻１５に押し込む時には、該ファインダ装置１２が該空洞のリング部１２２によって該本体１１の溝１１２を回転軸として開口部１１１内で回転し、該ファインダ基部１２１の上部平面１２１Aと該外殻１５のファインダ孔１５２とが面一を形成する（図２参照）。こうして該外殻１５の外レンズ用孔１５１は該前蓋１４の内レンズ用孔１４１と直線上に位置しないため、該前蓋により内レンズ用孔が保護され、また使用者にシャッターを切れない状態を知らせる。
【００１３】
更に図４に示すように、該本体１１の背面側外表面１１Bには略長方形を呈した軌道突出部１１５が設けられており、該外殻１５の背面には該軌道突出部１１５と相対する開口部１５３が設けられており、該本体１１と該前蓋１４とが該外殻１５に収容されるとき、該軌道突出部１１５の上下各縁１１５A，１１５Bに沿って滑動するようになっている。また公知の構造同様に、本考案にもモニタ１１５１と調整ボタン１１５２が該本体１１の該軌道突出部１１５上に設けられており、使用者が機能を選択したり、選択された操作が該モニタ１１５１上に表示されるようになっている。該本体１１の該軌道突出部１１５上には更に数個の円形の滑り止め用の突起１１５３が設けられていることにより、該本体１１を該外殻１５より出し入れしやすいようになっている。また図５，６に示すように、本考案は全体の構造がコンパクトですっきりとしていることから、その組み立てが更に容易でコストが低減できる。
【図面の簡単な説明】
【００１４】
【図１】本考案における分解図である。
【図２】本考案における立体図である。
【図３】本考案における使用状態を示す図である。
【図４】図３における背面図である。
【図５】図３における正面図である。
【図６】図２における正面図である。
【符号の説明】
【００１５】
１  カメラ
１１  本体
１１１  開口部
１１１A  開口部の縁
１１１B  開口部の底部
１１B  本体の外表面
１１A  本体の内表面
１１C  本体の上面
１１２  溝
１１３  位置決め孔
１２  ファインダ装置
１２１  ファインダ基部
１２２  リング部
１２１A  ファインダの上部平面
１２１B  ファインダの円弧面
１２１０  ファインダ
１３  スプリング
１３１  スプリングの第一端
１３２  スプリングの第二端
１４  前蓋
１４１  固定部
１４２  内レンズ用孔
１５  外殻
１５A  外殻の正面
１５B  外殻の上表面
１５C  外殻の側面
１５１  外レンズ用孔
１５２  ファインダ用孔
１１４  ボタン収容凹部
１６  ボタン
１１５  本体の軌道突出部
１１５A  軌道突出部の上縁
１１５B  軌道突出部の下縁
１５３  外殻の空洞部
１１５１  モニタ
１１５２  調整ボタン
１１５３  円形の突起
【図１】
0003101272.tif 000003
【図２】
0003101272.tif 000004
【図３】
0003101272.tif 000005
【図４】
0003101272.tif 000006
【図５】
0003101272.tif 000007
【図６】
0003101272.tif 000008